(57)【要約】      （修正有）【課題】植物の葉体の葉液を吸汁して植物を枯らすなどの被害を与える害虫を駆除する方法を提供する。【解決手段】青色の単独光、緑色の単独光、青色光と緑色光との複合光線を、夜間に植物の葉体に照射し葉体内にフェノールの含有量を増加させ、害虫たる成虫や孵化幼虫の生育を抑制せしめながら死滅させる。【選択図】図１
2014131506.tif 000002
【特許請求の範囲】
【請求項１】
当該植物の葉体に青色光の長波長の光を夜間に照射し、フェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項２】
当該植物の葉体に緑色光の長波長の光を夜間に照射し、フェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項３】
青色光と緑色光の長波長の光を一平面状より当該植物の葉体に夜間に照射しフェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項４】
請求項１記載の青色光の波長が最大ピーク４４３ｎｍで４３０ｎｍ〜４６０ｎｍであることを特徴した請求項１記載の光利用の害虫防除の方法。
【請求項５】
請求項２記載の緑色光の波長が最大ピーク５１８ｎｍで４８０ｎｍ〜５６０ｎｍであることを特徴した請求項２記載の光利用の害虫防除の方法。
【請求項６】
青色光と緑色光の長波長の光を一平面状より当該植物の葉体に夜間に照射し、請求項４、請求項５記載の光利用の害虫防除の方法。
【請求項７】
当該植物の葉体に夜間に照射する光の光量子量は２μｍｏｌ／ｍ２／ｓ以上で８μｍｏｌ／ｍ２／ｓ以下であることを特徴とする請求項１、請求項２、請求項３、請求項４、請求項５、請求項６記載の光利用の害虫防除の方法。
【請求項８】
緑色光の緑色ＬＥＤと黄色光の黄色ＬＥＤが配置、設置されているＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されている、当該ＬＥＤの緑光線と黄色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項９】
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されている、当該ＬＥＤの緑光線と赤色光線の複合光線を有する当該ＬＥＤの複合光線を一平面状より当該植物に夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１０】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている、当該ＬＥＤの緑光線と黄色光線の複合光線を有する当該ＬＥＤと青色光の青色ＬＥＤとを一平面状に置き並べ当該植物に夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１１】
緑色光の緑色ＬＥＤと赤色光の赤色ＬＥＤが配置、設置されているＬＥＤであり、緑色光の緑色ＬＥＤに対して赤色光の赤色ＬＥＤの配置割合は少であり、配列にては、当該緑色ＬＥＤに対して当該赤色ＬＥＤは、少なる配置割合を保持しつつ数回繰り返し置き並べられて設置されている、当該ＬＥＤの緑光線と赤色光線との複合光線を有する当該ＬＥＤと青色光の青色ＬＥＤとを当該植物に一平面状に置き並べ夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１２】
青色光の青色ＬＥＤと黄色光の黄色ＬＥＤが配置、設置されているＬＥＤであり、青色光の青色ＬＥＤに対して黄色光の黄色ＬＥＤの配置、設置割合は少であり、配列にては、当該青色ＬＥＤに対して当該黄色ＬＥＤは、少なる配置割合を保持しつつ数回繰り返し置き並べられて設置されている、当該ＬＥＤの青光線と黄色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１３】
青色光の青色ＬＥＤと赤色光の赤色ＬＥＤが配置、設置されているＬＥＤであり、青色光の青色ＬＥＤに対して赤色光の赤色ＬＥＤの配置、設置割合は少であり、配列にては、当該青色ＬＥＤに対して当該赤色ＬＥＤは、少なる配置割合を保持しつつ数回繰り返し置き並べられて設置されている、当該ＬＥＤの青光線と赤色光線の複合光線を有する当該ＬＥＤの複合光線を一平面状より当該植物に夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１４】
青色光の青色ＬＥＤと黄色光の黄色ＬＥＤが配置、設置されているＬＥＤであり、青色光の青色ＬＥＤに対して黄色光の黄色ＬＥＤの設置割合は少であり、配列にては、当該青色ＬＥＤに対して当該黄色ＬＥＤは、少なる配置割合を保持しつつ数回繰り返し置き並べられて設置されている、当該ＬＥＤの青光線と黄色光線の複合光線を有する当該ＬＥＤと青色光の青色ＬＥＤとを一平面状に置き並べ当該植物に夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１５】
青色光の青色ＬＥＤと赤色光の赤色ＬＥＤが配置、設置されているＬＥＤであり、青色光の青色ＬＥＤに対して赤色光の赤色ＬＥＤの配置割合は少であり、配列にては、当該青色ＬＥＤに対して当該赤色ＬＥＤは、少なる配置割合を保持しつつ数回繰り返し置き並べられて設置されている、当該ＬＥＤの青光線と赤色光線との複合光線を有する当該ＬＥＤと青色光の青色ＬＥＤとを当該植物に一平面状に置き並べ夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１６】
青色光の青色ＬＥＤと緑色光の緑色ＬＥＤが配置、設置されているＬＥＤであり、青色光の青色ＬＥＤに対して緑色光の緑色ＬＥＤの配置、設置割合は少であり、配列にては、当該青色ＬＥＤに対して当該緑色ＬＥＤは、少なる配置割合を保持しつつ数回繰り返し置き並べられて設置されている、当該ＬＥＤの青光線と緑色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の生育を抑制せしめながら死滅させる光利用のフェノール含有量増加の方法と装置。
【請求項１７】
植物に夜間に照射する光の光量子量は２μｍｏｌ／ｍ２／ｓ以上で８μｍｏｌ／ｍ２／ｓ以下であることを特徴とする請求項８、請求項９、請求項１０、請求項１１請求項１２、請求項１３、請求項１４、請求項１５，請求項１６記載の光利用のフェノール含有量増加の方法と装置。
【請求項１８】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている、当該ＬＥＤの緑光線と黄色光線との複合光線を有する当該ＬＥＤの複合光線を当該植物に一平面状より夜間照射し、植物育成制御のための当該植物に光利用のケルダール窒素の含有量を増加の方法と装置。
【請求項１９】
緑色光の緑色ＬＥＤと赤色光の赤色ＬＥＤが配置、設置されているＬＥＤであり、緑色光の緑色ＬＥＤに対して赤色光の赤色ＬＥＤの設置割合は少であり、配列にては、当該緑色ＬＥＤに対して当該赤色ＬＥＤは、少なる配置割合を保持しつつ数回繰り返し置き並べられて設置されている、当該ＬＥＤの緑光線と赤色光線との複合光線を有する当該ＬＥＤの複合光線を当該植物に一平面状より夜間照射し、植物育成制御のための当該植物に光利用のケルダール窒素の含有量を増加の方法と装置。
【請求項２０】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている、当該ＬＥＤの緑光線と黄色光線との複合光線を有する当該ＬＥＤと青色光の青色ＬＥＤとを一平面状に置き並べ当該植物に夜間照射し、植物育成制御のための当該植物に光利用のケルダール窒素の含有量を増加の方法と装置。
【請求項２１】
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は少であり、配列にては、当該緑色ＬＥＤに対して当該黄色ＬＥＤは、少なる配置割合を保持しつつ数回繰り返し置き並べられて設置されている、当該ＬＥＤの緑光線と赤色光線との複合光線を有する当該ＬＥＤと青色光の青色ＬＥＤとを当該植物に一平面状に置き並べ夜間照射し、植物育成制御のための当該植物に光利用のケルダール窒素の含有量を増加の方法と装置。
【請求項２２】
緑色光の緑色ＬＥＤと青色光の青色ＬＥＤが配置されているＬＥＤであり、緑色光の緑色ＬＥＤに対して青色光の青色ＬＥＤの設置割合は少であり、配列にては、当該緑色ＬＥＤに対して当該青色ＬＥＤは、少なる配置割合を保持しつつ数回繰り返し置き並べられて設置されている、当該ＬＥＤの緑光線と青色光線との複合光線を有する当該ＬＥＤの複合光線を当該植物に一平面状より夜間照射し、植物育成制御のための当該植物に光利用のケルダール窒素の含有量を増加の方法と装置。
【請求項２３】
緑色光の緑色ＬＥＤと青色光の青色ＬＥＤが配置、設置されているＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されている、当該ＬＥＤの緑光線と青色光線との複合光線を有する当該ＬＥＤと青色光の青色ＬＥＤとを当該植物に一平面状に置き並べ夜間照射し、植物育成制御のための当該植物に光利用のケルダール窒素の含有量を増加の方法と装置。
【請求項２４】
緑色光の緑色ＬＥＤと青色光の青色ＬＥＤが配置、設置されているＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されている、当該ＬＥＤの緑光線と青色光線との複合光線を有する当該ＬＥＤと緑色光の緑色ＬＥＤとを当該植物に一平面状に置き並べ夜間照射し、植物育成制御のための当該植物に光利用のケルダール窒素の含有量を増加の方法と装置。
【請求項２５】
植物に夜間に照射する光の光量子量は２μｍｏｌ／ｍ２／ｓ以上で８μｍｏｌ／ｍ２／ｓ以下であることを特徴とする請求項１７記載、請求項１８記載、請求項１９記載、請求項２０、請求項２１、請求項２２、請求項２３、請求項２４、記載の植物育成制御のための当該植物光利用のケルダール窒素の含有量を増加の方法と装置。
【発明の詳細な説明】
【技術分野】
【０００１】本発明は、植物の葉体に夜間に青色光、緑色光を照射し植物の葉体内にフェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法に関する。且つ植物の葉体に夜間に青色光、緑色光、黄色光、赤色光の複合光線を照射し植物の葉体内にケルダール窒素、とフェノール含有量を増加せしめる植物育成制御方法と装置に関する。
【背景技術】
【０００２】植物の栽培において害虫による被害により、作物生産量の減収が大きな問題となっている。害虫を防除の為に多大な経費を掛け農薬にての防除を施用しているのが現実であります。しかし薬剤の害虫への耐性が付きやすく農薬防除が困難になっている。農薬害虫防除の処理回数の多さにより、植物の成育を妨げている。
【発明が解決しようとする課題】
【０００３】特にハダニ、アブラムシ等の害虫の防除に関しては点滴昆虫の利用が普及してきた。
しかし点滴昆虫に影響のない農薬との併用での使用防除の為に多く困難さがある。
又農薬害虫防除の回数の多く処理すればするほど、植物の成育を遅らせる原因となる。
【課題を解決するための手段】
【０００４】植物の葉体内に本来植物は、害虫を防除するための弱いフェノール物質含有している、当該植物の含有量を増加させる為に、青色、緑色の単独光線や、青色、緑色の複合させた光線を夜間に照射し、フェノール物質の含有量を増加させ害虫防除を特徴とする。
青色、緑色、赤色、黄色の複合させた光線を夜間に照射し、ケルダール窒素の含有量を増加させて、害虫防除の為のフェノール物質含有量の過大な増加による、当該植物の過度のフェノール物質によるストレスを和らげながら、うどんこ病、ダニ等の病害虫の防除をし、植物育成制御技術に利用する装置と方法。
【０００５】本来植物自体生合成している物質で、害虫が葉体を大量に食べ続けるとやがて害虫は弱り死滅することにより、植物自体の育成を保持させて、害虫の大量発生を防止させている穏やかな毒といわれているのが、フェノール物質であります。フェノール物質とケルダール窒素即ち、たんぱく質等の増加効果は、植物自体の病害虫防除や植物の育成を制御できる。
【０００６】本発明によれば、青色、緑色の単独光線、青と緑色の複合色光線を利用し夜間照射することにより、自然な方法で当該植物の葉体内にフェノール物質を増加させ害虫たる成虫や孵化幼虫に当該植物の葉液を吸汁させて害虫の生育を抑制せしめ、やがて死滅させる事を特徴とする。又青色、緑色、黄色、赤色の複合色光線を利用し夜間照射し、ケルダール物質を増加させながら、フェノール物質の過大増加による植物のストレスをも和らげ、植物の育成を制御できる装置と方法。
【０００７】特許公開２０１０−２７９３４５
特許公開２０１１−１１５
特許公開２０１１−５５８１６
上記記載の文献にて光線利用にて葉体内にたんぱく質が増加していく事が実証されている事が明記されている。
【０００８】当該植物の葉体内に青色光を夜間照射しフェノール物質を増加させながら前記記載の「［０００７］」項にて記載実証明示されているごとく、当該植物の葉体内に青色光と緑色光とを複合照射し、当該植物の葉体内にたんぱく質を蓄へ備へ、当該植物の葉体内の栄養濃度であるたんぱく質を高濃度に保持しながら、当該植物の葉体内のフェノール物質をも増加含有せしめ、当該植物の葉液を、害虫たる成虫や孵化幼虫に、吸汁させて害虫の生育を抑制せしめ、やがて死滅させる事を可能にした。特に害虫であるハダニ、によるいちご作物被害の軽減、とまと作物被害をもたらすシルバーリーフコナジラミやタバココナジラミによる黄化葉巻病の軽減、等アブラムシ、青虫、ヨトウ虫、コナジラミ、コナガ、アザミウマ等の、葉の葉液を吸汁する害虫等を防除出来る。
又植物の葉体に夜間に青色光、緑色光、黄色光、赤色光の複合光線を照射し植物の葉体内にケルダール窒素を増加させて植物育成することにより、植物自体に徐々に増加する害虫防除効果を持つフェノール物質、害虫駆除の為に過大に増加したフェノール物質が、育成植物の生長を抑制をもたらす、ストレスとなる為に、当該育成植物体内の栄養蛋白質たる、ケルダール窒素をも増加せしめて、当該育成植物のストレスを和らげ、且つ植物の生育、生産スピードを上げ、害虫防除をも出来る植物育成制御が可能になった装置と方法。
【０００９】青色、緑色の単独光線、青と緑色複合色光線を夜間照射処理ことにより、いちご植物とまと、きゅうり、ピーマン、すいか、メロン等の果菜類や小松菜、チンゲン菜、ほうれん草等の葉菜類植物や菊、ガーベラ、カーネンション、らん、シクラメン、ユリ等の花卉類又さくらんぼ、オウトウ等の果樹類の害虫防除が出来る。
又、上記記載植物の葉体に夜間に青色光、緑色光、黄色光、赤色光を複合光線照射し植物の葉体内にケルダール窒素増加させながら、植物育成することにより、植物自体に徐々に増加し、害虫駆除効果を有する、フェノール物質過大の増加による育成植物のストレスを和らげながら、成育スピードを上げることが出来る植物育成制御装置と方法が可能になった。
又植物の種類により、複合光線の光線色による花芽等に、影響無き調整をして夜間植物に照射することが出来る植物育成制御装置と方法が可能になった。
【発明を実施するための形態】
【００１０】本発明の実施形態を、フェノール含有量を精度の高い方法にて４−アミノアンチピリン測定法にて測定する。当発明の基準になった上記記載の４−アミノアンチピリン測定法に基ずき、いちご植物の葉体を乾燥後熱湯にて煮沸し、ろ過抽出しクロロホルム、フェノール試薬処理をし、２段階分析後にサンプルを取り出しＨＡＣＨ社製分光光度計３０００Ｒにてフェノール含有量の測定を行っています。
又、本発明の実施形態を、タンパク質の定量法として、精度の高い方法として燃焼後に窒素量を測定するデルマ法と、硫酸分解後にアンモニア量を測定するケルダール法等があります。当発明の基準になった測定法は、後者の方法でいちご植物の葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。
【００１１】いちごハウスの中において、いちご植物の育成中の葉体に無照射、緑色単独光、青色単独光、青色光と緑色光を一平面上からの複合光等の照射条件の光線源たる蛍光灯型ＬＥＤ電源を設け、設定し、当該いちご植物の上面１．５ｍの高さから夜間にいちご植物に照射し、当該いちご植物の葉体内にフェノールを蓄積させ、当該いちご植物の葉体内に蓄積された含有させたフェノールを、当該いちご植物の葉液をハダニに吸汁させてハダニの減少度合いを比較検証した。
【実施例】
【００１２】育成中のいちご植物のビニールハウス間口６ｍ奥行１００ｍ、定植苗３８００本のハウス内において、ハダニの発生をしたビニールハウス１００ｍ内を試験区とした。【００１３】上記「［００１２］」記載のビニールハウス内において効果および実証結果を図１、図２、図３、図４、図５及び表１、表２、実施例、に基づき詳細に説明する。
ビニールハウス平面図１のＡ−Ａ矢視立面図２の表示の如く、いちご植物の定植苗４の上面１．５ｍの高さに青色光の蛍光灯型ＬＥＤ１をビニールハウス平面図１の表示の如くビニールハウス３の奥行に５ｍ間隔にハウス３の間口と平行に吊り下げ設置した。【００１４】次にビニールハウス平面図１のＢ−Ｂ矢視図立面図３の表示の如く、いちご植物の定植苗５の上面１．５ｍの高さに緑色光の蛍光灯型ＬＥＤ２をビニールハウス平面図１の表示の如くビニールハウス３の奥行に５ｍ間隔にビニールハウス３の間口と平行に吊り下げ設置した。【００１５】次にビニールハウス平面図１のＣ−Ｃ矢視図立面図４の表示の如く、いちご植物の定植苗６の上面１．５ｍの高さに緑色光の蛍光灯型ＬＥＤ２を５ｍ間隔に吊り下げ設置し、緑色光の蛍光灯型ＬＥＤ２を５ｍ間隔に吊り下げ設置した緑色光の蛍光灯型ＬＥＤ２と緑色光の蛍光灯型ＬＥＤ２との中間部にビニールハウス３の間口と直角方向に青色光の蛍光灯型ＬＥＤ１をビニールハウス平面図１の表示の如く吊り下げ設置した。【００１６】次にビニールハウス平面図１のＤ−Ｄ矢視図立面図５の表示の如く、いちご植物の定植苗７の上面には、無照射とした。【００１７】前記記載の「［００１２］」「［００１３］」「［００１４］」「［００１５］」「［００１６］」にて、表示説明のごとく、青色光の蛍光灯型ＬＥＤ１単独光を照射、緑色光の蛍光灯型ＬＥＤ２単独光を照射、緑色光の蛍光灯型ＬＥＤ２との中間部にハウス３の間口と直角方向に青色光の蛍光灯型ＬＥＤ１をビニールハウス平面図１の表示の如く吊り下げ設置して、複合光を照射、いちご植物の定植苗７の上面には、無照射とし、ビニールハウス３の中の、当該いちご植物の定植苗４、定植苗５、定植苗６、定植苗７、に点灯処理して表１、表２にて点灯後１０日後、３０日後に、当該いちご植物の定植苗の葉体内のフェノール含有量とハダニの減少度合いを比較検証し表１、表２に表示した。【００１８】表１は、点灯照射後１０日後であり、青色光の蛍光灯型ＬＥＤ１は、フェノール含有量０．１９０ｍｇ／Ｌ，ハダニ数７匹、緑色光の蛍光灯型ＬＥＤ２は、フェノール含有量０．１７５ｍｇ／Ｌ，ハダニ数２０匹、青色光の蛍光灯型ＬＥＤ１と緑色光の蛍光灯型ＬＥＤ２の複合光は、フェノール含有量０．２ｍｇ／Ｌ，ハダニ数８匹、無照射のフェノール含有量０．１６０ｍｇ／Ｌ，ハダニ数５０匹であった。【００１９】表２は、点灯照射後３０日後であり、青色光の蛍光灯型ＬＥＤ１は、フェノール含有量０．２１４ｍｇ／Ｌ，ハダニ数０匹、緑色光の蛍光灯型ＬＥＤ２は、フェノール含有量０．１８８ｍｇ／Ｌ，ハダニ数７匹、青色光の蛍光灯型ＬＥＤ１と緑色光の蛍光灯型ＬＥＤ２の複合光は、フェノール含有量０．２５１ｍｇ／Ｌ，ハダニ数０匹、無照射のフェノール含有量０．１７２ｍｇ／Ｌ，ハダニ数１５０匹であった。【００２０】前記記載の「［００１８］」表１、「［００１９］」表２の如く表１に基ずき説明すると、点灯１０日後に於いて青色光の蛍光灯型ＬＥＤ１と緑色光の蛍光灯型ＬＥＤ２との複合光は、フェノール含有量０．２ｍｇ／Ｌ，ハダニ数８匹であり、青色光の蛍光灯型ＬＥＤ１は、フェノール含有量０．１９０ｍｇ／Ｌ，ハダニ数７匹であり、緑色光の蛍光灯型ＬＥＤ２は、フェノール含有量０．１７５ｍｇ／Ｌ，ハダニ数２０匹であった、無照射のフェノール含有量０．１６０ｍｇ／Ｌ，ハダニ数５０匹であった。１０日後に於いてフェノール含有量の多い当該いちご定植苗にはハダニの数は少なく、フェノール含有量の少ない当該いちご定植苗にはハダニの数は多くあらわれている。【００２１】点灯３０日後に於いて青色光の蛍光灯型ＬＥＤ１と緑色光の蛍光灯型ＬＥＤ２の複合光は、フェノール含有量０．２５１ｍｇ／Ｌ，ハダニ数０匹であり、青色光の蛍光灯型ＬＥＤ１は、フェノール含有量０．２１４ｍｇ／Ｌ，ハダニ数０匹、緑色光の蛍光灯型ＬＥＤ２は、フェノール含有量０．１８８ｍｇ／Ｌ，ハダニ数７匹であり、無照射のフェノール含有量０．１７２ｍｇ／Ｌ，ハダニ数１５０匹であった。３０日後に於いては、フェノール含有量の増加するに従いハダニが減少し、無点灯の当該いちご定植苗のフェノール含有量が少なく、３０日後にてもフェノール含有量に変動変化のない当該いちご定植苗にはハダニは異常に増加している。【００２２】上記記載の実施例の如く青色光、緑色光、青色光と緑色光との複合光線による当該いちご植物の定植苗にてフェノール含有量の増加によりハダニが当該いちご植物の定植苗の葉体の葉液を吸汁し弱り死滅することを実証した。
【表１】
2014131506.tif 000003
【表２】
2014131506.tif 000004
【表３】
2014131506.tif 000005
【表４】
2014131506.tif 000006
【表５】
2014131506.tif 000007
又、表５によると、表４表示の５０日目に消灯し表５表示の表５の如く消灯１５日間にて、青色単独光はフェノール含有量は、０．２８ｍｇ／Ｌから０．１９ｍｇ／Ｌに減少、緑色単独光は、０．２６ｍｇ／Ｌから０．１８ｍｇ／Ｌに減少、青色と緑色の複合光０．３５ｍｇ／Ｌから０．２４ｍｇ／Ｌに減少、無照射は０．１７ｍｇ／Ｌから０．１６ｍｇ／Ｌに微小に減少している。
表１、と表４に基づく考察によると無照射はフェノール含有量は微少の減少であるが、青色と緑色の複合光は表１の含有量０．２ｍｇ／Ｌから表４の含有量０．３５ｍｇ／Ｌに増加、緑色単独光の表１の含有量０．１７５ｍｇ／Ｌから表４の含有量０．２６ｍｇ／Ｌに増加、青色の単独光、は表１の含有量０．１９ｍｇ／Ｌから表４の含有量０．２８ｍｇ／Ｌに増加量が、増加している。
表１、と表５に基づき考察すると、消灯後１５日目にて、ハダニの減少割合とフェノール含有量とを比較検証すると、緑色単独光ハダニ数が２０から１５、青色単独光７から５、青色と緑色の複合光は８から０であり、フェノール含有量は消灯後１５日目に緑色の単独光は、０．１８ｍｇ／Ｌ、青色の単独光は、０．１９ｍｇ／Ｌ、青色と緑色の複合光は、０．２４ｍｇ／Ｌである。フェノール増加量の多さが消灯後１５日目にてもハダニが減少していることが明らかである。
青色と緑色の複合光は、緑色単独光青色単独光フェノール含有量より多いことにより、ハダニがより多く減少させていることが、表１、表２、表３、表４、表５の表示の如く実施例に基づき実証した。【００２３】いちごハウスの中において、いちご植物の育成中の葉体に緑色光の緑色ＬＥＤと黄色光の黄色ＬＥＤが配置、設置されているＬＥＤであり、緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該ＬＥＤ。
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は約５％であり、配列にては、当該緑色ＬＥＤに対して当該赤色ＬＥＤは、約５％配置割合を保持しつつ数回繰り返し置き並べられて設置されている、複合光線を有する当該ＬＥＤ。
緑色光の緑色ＬＥＤと黄色光の黄色ＬＥＤが配置、設置されているＬＥＤであり、緑色光の緑色ＬＥＤに対して黄色光の黄色ＬＥＤの設置割合は約５％であり、配列にては、当該緑色ＬＥＤに対して当該黄色ＬＥＤは、約５％配置割合を保持しつつ数回繰り返し置き並べられて設置されている、当該ＬＥＤの緑光線と黄色光線の複合光線を有する当該ＬＥＤと青色光の青色ＬＥＤとの複合光線とを有する当該ＬＥＤ。
緑色光の緑色ＬＥＤと赤色光の赤色ＬＥＤが配置、設置されているＬＥＤであり、緑色光の緑色ＬＥＤに対して赤色光の赤色ＬＥＤの配置割合は約５％であり、配列にては、当該緑色ＬＥＤに対して当該黄色ＬＥＤは、約５％配置割合を保持しつつ数回繰り返し置き並べられて設置されている、当該ＬＥＤの緑光線と赤色光線との複合光線を有する当該ＬＥＤと青色光の青色ＬＥＤとの複合光線とを有する当該ＬＥＤ。
上記記載のＬＥＤを一平面上から設定し、設置し、当該いちご定植苗の上面１．５ｍの高さから夜間にいちご植物に照射し、当該いちご定植苗の葉体内にフェノール含有量とケルダール窒素含有量を蓄積させ、当該いちご定植苗の葉体内に蓄積されうるフェノール含有量とケルダール窒素含有量の割合を比較し、又当該いちご定植苗の葉体に夜間に青色光、緑色光、黄色光、赤色光の複合光線を照射し当該いちご定植苗の葉体内にケルダール窒素を増加させて植物育成する、又植物自体に徐々に増加する害虫防除効果を持つフェノール物質しかし、害虫駆除の為に過大に増加したフェノール物質が、育成植物の生長の抑制をもたらす、当該いちご定植苗の葉の展開スピードに対してのストレスとなっている。表３、表４に基づき説明すると、表３表示の如く、青色光フェノール、０．２７ｍｇ／Ｌ、緑色光フェノール、０．２４ｍｇ／Ｌ、青色と緑色の複合光フェノール０．３１ｍｇ／Ｌ、表４の表示の如く、青色光フェノール、０．２８ｍｇ／Ｌ、緑色光フェノール、０．２６ｍｇ／Ｌ、青色と緑色の複合光フェノール０．３５ｍｇ／Ｌ、である。しかし表３表示の当該いちご定植苗の葉体内のケルダール窒素すなわち、葉体内の栄養濃度を司る、タンパク質濃度は、表３表示の如く、青色光ケルダール窒素は、１００ＰＰＭ，緑色光ケルダール窒素は１１０ＰＰＭ、青色と緑色の複合光ケルダール窒素は、１３５ＰＰＭ、表４の表示の如く、青色光ケルダール窒素は、１０８ＰＰＭ，緑色光ケルダール窒素は１２３ＰＰＭ、青色と緑色の複合光ケルダール窒素は、１４６ＰＰＭ、が表示されている。
葉の展開枚数は、表示３にては、青色光は、１３枚、緑色光は、１４枚、青色と緑色の複合光は、１５枚である。表示４にては、青色光は、１４枚、緑色光は、１５．５枚、青色と緑色の複合光は、１７枚弱である。上記表示３、表示４のデータによると、フェノール含有量が青色と緑色の複合光を考察すると、０．３１ｍｇ／Ｌから０．３５ｍｇ／Ｌに多く増加していても、葉体内の栄養濃度を司る、ケルダール窒素が１３５ＰＰＭから１４６ＰＰＭに多く増加することにより、当該いちご定植苗の葉の展開枚数が１５枚から１７枚弱に増えている値と、青色単独光のフェノール含有量が０．２７ｍｇ／Ｌから０．２８ｍｇ／Ｌに増加して、葉体内の栄養濃度を司る、ケルダール窒素が１００ＰＰＭから１０８ＰＰＭに増加し、緑色単独光のフェノール含有量が０．２４ｍｇ／Ｌから０．２６ｍｇ／Ｌに増加して、葉体内の栄養濃度を司る、ケルダール窒素が１１０ＰＰＭから１２３ＰＰＭに増加している、しかし青色と緑色の複合光は、青色単独光は、１３枚から１４枚に増へ、緑色単独光は１４枚から１５．５枚に増えている、しかし、当該いちご定植苗の葉の展開枚数が青色と緑色の複合光は、１５枚から１７枚弱に増へている、青色と緑色の複合光はケルダール窒素の増加量多い事による成長スピードすなわち、葉の展開枚数の差すなわち、青色単独光は１枚、緑色単独光は１．５枚青色と緑色の複合光は２枚葉の展開の差の効果がケルダール窒素の増加による成長の効果として実証できた。
複合光を利用し、当該育成植物体内の栄養蛋白質たる、ケルダール窒素をも増加せしめて、当該いちご定植苗の育成中にいちご定植苗の過大に増加したフェノール含有量の多さによる、ストレスを和らげながら、且つ植物の生育、生産スピードを上げ、害虫防除をも出来る植物育成制御装置と方法が青色光、緑色光、黄色光、赤色光の複合光線を照射することにより、当該いちご定植苗の葉体内にケルダール窒素を増加せしめ、植物育成することが可能になったことを検証した事を、実施例に基づき説明する。
【実施例】
【００２４】育成中のいちご定植のビニールハウス間口６ｍ奥行５０ｍに定植苗１９００本のハウス内に定植し、ビニールハウス５０ｍ内のいちご定植苗のケルダール窒素の含有量とフェノールの含有量の比較試験区とした。【００２５】上記「［００２４］」記載のビニールハウス内において効果および実証結果を図６、図７、図８、図９、図１０及び表６、表７、表示８、実施例、に基づき詳細に説明する。
ビニールハウス平面図６のＥ−Ｅ矢視立面図、図７の表示の如く、いちご植物の定植苗１１の上面１．５ｍの高さに緑色光の緑色ＬＥＤと黄色光の黄色ＬＥＤが配置、設置されている蛍光型ＬＥＤであり、緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該蛍光型ＬＥＤ８をビニールハウス平面図、図６の表示の如くビニールハウス１０の奥行に５ｍ間隔にハウス１０の間口と平行に吊り下げ設置した。【００２６】次にビニールハウス平面図６のＦ−Ｆ矢視図立面図、図８の表示の如く、いちご植物の定植苗１２の上面１．５ｍの高さに緑色光の緑色ＬＥＤと赤色光の赤色ＬＥＤが配置、設置されている蛍光型ＬＥＤであり、緑色光の緑色ＬＥＤに対して赤色光の赤色ＬＥＤの配置、設置割合は約５％であり、配列にては、当該緑色ＬＥＤに対して当該赤色ＬＥＤは、約５％配置割合を保持しつつ数回繰り返し置き並べられて設置されている、当該ＬＥＤ蛍光灯型ＬＥＤ９をビニールハウス平面図、図６の表示の如くビニールハウス１０の奥行に５ｍ間隔にビニールハウス１０の間口と平行に吊り下げ設置した。【００２７】次にビニールハウス平面図、図６のＧ−Ｇ矢視図立面図、図９の表示の如く、いちご植物の定植苗１３の上面１．５ｍの高さに緑色光の緑色ＬＥＤと黄色光の黄色ＬＥＤが配置、設置されている蛍光型ＬＥＤであり、緑色光の緑色ＬＥＤに対して黄色光の黄色ＬＥＤの設置割合は約５％であり、配列にては、当該緑色ＬＥＤに対して当該黄色ＬＥＤは、約５％配置割合を保持しつつ数回繰り返し置き並べられて設置されている、当該ＬＥＤの緑光線と黄色光線との複合光線を有する当該ＬＥＤの蛍光灯型ＬＥＤ８を５ｍ間隔に吊り下げ設置し、当該ＬＥＤ，蛍光灯型ＬＥＤ８を５ｍ間隔に吊り下げ設置した当該ＬＥＤ，蛍光灯型ＬＥＤ８と当該ＬＥＤ，蛍光灯型ＬＥＤ８との中間部にビニールハウス平面図、図６の間口と直角方向に青色光の蛍光灯型青色ＬＥＤ１５をビニールハウス平面図、図６の表示の如く吊り下げ設置した。【００２８】  次にビニールハウス平面図、図６のＨ−Ｈ矢視図立面図、図１０の表示の如く、いちご植物の定植苗１４の上面１．５ｍの高さに緑色光の緑色ＬＥＤと赤色光の赤色ＬＥＤが配置、設置されている蛍光型ＬＥＤであり、緑色光の緑色ＬＥＤに対して赤色光の赤色ＬＥＤの設置割合は約５％であり、配列にては、当該緑色ＬＥＤに対して当該赤色ＬＥＤは、約５％配置割合を保持しつつ数回繰り返し置き並べられて設置されている、当該ＬＥＤの緑光線と赤色光線との複合光線を有する当該ＬＥＤの蛍光灯型ＬＥＤ９を５ｍ間隔に吊り下げ設置し、当該ＬＥＤ，蛍光灯型ＬＥＤ９を５ｍ間隔に吊り下げ設置した当該ＬＥＤ，蛍光灯型ＬＥＤ９と当該ＬＥＤ，蛍光灯型ＬＥＤ９との中間部にビニールハウス平面図、図６の間口と直角方向に青色光の蛍光灯型青色ＬＥＤ１５をビニールハウス平面図、図６の表示の如く吊り下げ設置した。【００２９】前記記載の「［００２４］」「［００２５］」「［００２６］」「［００２７］」「［００２８］」にて、表示説明のごとく、緑���光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該ＬＥＤ蛍光灯型ＬＥＤ８をいちご植物の１．５ｍの高さから定植苗に照射した。
緑色光の緑色ＬＥＤに対して赤色光の赤色ＬＥＤの配置、設置割合は約５％であり、配列にては、当該緑色ＬＥＤに対して当該赤色ＬＥＤは、約５％配置割合を保持しつつ数回繰り返し置き並べられて設置されている、複合光線を有する当該ＬＥＤ蛍光灯型ＬＥＤ９をいちご植物の１．５ｍの高さから定植苗に照射した。
緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該ＬＥＤ蛍光灯型ＬＥＤ８と当該ＬＥＤ、蛍光灯型ＬＥＤ８との中間部にハウス平面図、図６の間口と直角方向に青色光の蛍光灯型青色ＬＥＤ１５をビニールハウス平面図、図６の表示の如く吊り下げ設置して、複合光をいちご植物の１．５ｍの高さから定植苗に照射した。
又緑色光の緑色ＬＥＤに対して赤色光の赤色ＬＥＤの配置、設置割合は約５％であり、配列にては、当該緑色ＬＥＤに対して当該赤色ＬＥＤは、５％配置割合を保持しつつ数回繰り返し置き並べられて設置されている、複合光線を有する当該ＬＥＤ蛍光灯型ＬＥＤ９と当該ＬＥＤ蛍光灯型ＬＥＤ９との中間部にハウス平面図６の間口と直角方向に青色光の蛍光灯型青色ＬＥＤ１５をビニールハウス平面図、図６の表示の如く吊り下げ設置して、複合光をいちご植物の１．５ｍの高さから定植苗に照射した。
ビニールハウス１０の中の、当該いちご定植苗１１、いちご定植苗１２、いちご定植苗１３、いちご定植苗１４、に４０日間点灯処理して表６に表示、４０日照射処理後に、１０日間消灯して表７に表示、当該いちご植物の定植苗の葉体内のフェノール含有量とケルダール窒素の含有量の度合いを比較検証し表６、表７、表示８にて表示した。
【表６】
2014131506.tif 000008
【表７】
2014131506.tif 000009
但し  表６、表７のデータのいちご定植苗の無照射データは下記の表示８の通り。
2014131506.tif 000010
表、表示についてＬＥＤの光源、表６、表７の緑色と黄色複合光とは、緑色光の緑色ＬＥＤと黄色光の黄色ＬＥＤが配置、設置されているＬＥＤで、緑色光の緑色ＬＥＤに対して黄色光の黄色ＬＥＤの配置、設置割合は、約５％であり、配列にては、当該緑色ＬＥＤに対して当該黄色ＬＥＤは、約５％なる配置割合を保持しつつ数回繰り返し置き並べられて設置されている、当該ＬＥＤ蛍光型ＬＥＤである。
表、表示についてＬＥＤの光源、表６、表７緑色と赤色複合光とは、緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は約５％であり、配列にては、当該緑色ＬＥＤに対して当該赤色ＬＥＤは、約５％なる配置割合を保持しつつ数回繰り返し置き並べられて設置されている、当該ＬＥＤ蛍光型ＬＥＤである。
表、表示についてＬＥＤの光源、表６、表７の緑色と黄色複合光＋青色とは、緑色光の緑色ＬＥＤと黄色光の黄色ＬＥＤが配置、設置されているＬＥＤであり、緑色光の緑色ＬＥＤに対して黄色光の黄色ＬＥＤの設置割合は約５％であり、配列にては、当該緑色ＬＥＤに対して当該黄色ＬＥＤは、約５％なる配置割合を保持しつつ数回繰り返し置き並べられて設置されている、当該ＬＥＤの緑光線と黄色光線の複合光線を有する当該ＬＥＤ蛍光型ＬＥＤと青色光の青色ＬＥＤ蛍光型ＬＥＤとの複合光である。
表、表示についてＬＥＤの光源、表６、表７の緑色と赤色複合光＋青色とは、緑色光の緑色ＬＥＤと赤色光の赤色ＬＥＤが配置、設置されているＬＥＤであり、緑色光の緑色ＬＥＤに対して赤色光の赤色ＬＥＤの設置割合は約５％であり、配列にては、当該緑色ＬＥＤに対して当該赤色ＬＥＤは、約５％なる配置割合を保持しつつ数回繰り返し置き並べられて設置されている、当該ＬＥＤ蛍光型ＬＥＤの緑光線と黄色光線の複合光線を有する当該ＬＥＤと青色光の青色蛍光型ＬＥＤとの複合光である。【００３０】表６は、点灯照射後４０日目である、緑色と黄色の複合光のフェノール含有量が、０．２４５ｍｇ／Ｌであり、表７の消灯後１０日目にて緑色と黄色の複合光のフェノール含有量は０．１７８ｍｇ／Ｌに減少。
表６は、点灯照射後４０日目である、緑色と赤色の複合光のフェノール含有量が、０．２ｍｇ／Ｌであり、表７の消灯後１０日目にて緑色と赤色の複合光のフェノール含有量は０．１２８ｍｇ／Ｌに減少。
表６は、点灯照射後４０日目である、緑色と黄色の複合光＋青色のフェノール含有量が、０．３０ｍｇ／Ｌであり、表７の消灯後１０日目にて緑色と黄色の複合光＋青色のフェノール含有量は０．２３ｍｇ／Ｌに減少。
表６は、点灯照射後４０日目である、緑色と赤色の複合光＋青色のフェノール含有量が、０．２６ｍｇ／Ｌであり、表７の消灯後１０日目にて緑色と赤色の複合光＋青色のフェノール含有量は０．１８０ｍｇ／Ｌに減少。
表６は、点灯照射後４０日目である、緑色と黄色の複合光のケルダール窒素含有量が、１２０ＰＰＭであり、表７の消灯後１０日目にて緑色と黄色の複合光のケルダール窒素含有量が、１０５ＰＰＭに減少。
表６は、点灯照射後４０日目である、緑色と赤色の複合光のケルダール窒素含有量が、１１２ＰＰＭであり、表７の消灯後１０日目にて緑色と赤色の複合光のケルダール窒素含有量が、９８ＰＰＭに減少。
表６は、点灯照射後４０日目である、緑色と黄色の複合光＋青色のケルダール窒素含有量が、１３２ＰＰＭであり、表７の消灯後１０日目にて緑色と黄色＋青色の複合光のケルダール窒素含有量が、１２０ＰＰＭに減少。
表６は、点灯照射後４０日目である、緑色と赤色の複合光＋青色のケルダール窒素含有量が、１２９ＰＰＭであり、表７の消灯後１０日目にて緑色と赤色＋青色の複合光のケルダール窒素含有量が、１１８ＰＰＭに減少。
表示８は、無照射のいちご定植苗でフェノール含有量は０．１６ｍｇ／Ｌである。
ケルダール窒素の含有量は、８０ＰＰＭである。
上記データに基づき考察すると、いちご定植苗に複合光線を照射時と消灯後１０日目でも、表示８の如く、無照射のいちご定植苗でフェノール含有量は約０．１６ｍｇ／Ｌであった。ケルダール窒素の含有量は、約８０ＰＰＭであった。
いちご定植苗に複合光線を照射した当該いちご定植苗の数値が表７の如く、消灯後も上記表示の如く、高く維持し害虫に駆除能力をもつフェノール含有量を保持しながら、植物体内の栄養濃度を司る、ケルダール窒素をも高い値を保持している。
表３、表４にても、「［００２３］」にて検証した前記記載や、上記「［００３０］」記載の如く、複合光線を植物に照射することにより、植物自体に徐々に増加する害虫防除効果を持つフェノール物質の増加方法及び装置、又フェノール物質が多大な増加が、育成植物の生長の抑制をもたらす物質となる為に、当該育成植物体内の栄養蛋白質たる、ケルダール窒素をも増加せしめて、当該いちご定植苗の育成中に増加するフェノール物質による成育の抑制にもなる、ストレスをも和らげ、且つ植物の生育、生産スピードを上げ、害虫防除をも出来うる、ケルダール窒素増加方法及び装置が、青色光、緑色光、黄色光、赤色光の複合光線を照射し、当該いちご定植苗の葉体内にケルダール窒素を増加せしめ、徐々に増加する害虫防除効果を持つフェノール物質の増加方法及び装置により植物育成制御が可能になったことを検証した。
【図面の簡単な説明】
【図１】は、ビニールハウス平面図。
【図２】は、Ａ−Ａ矢視立面図。
【図３】は、Ｂ−Ｂ矢視立面図。
【図４】は、Ｃ−Ｃ矢視立面図。
【図５】は、Ｄ−Ｄ矢視立面図。
【図６】は、ビニールハウス平面図。
【図７】は、Ｅ−Ｅ矢視立面図。
【図８】は、Ｆ−Ｆ矢視立面図。
【図９】は、Ｇ−Ｇ矢視立面図。
【図１０】は、Ｈ−Ｈ矢視立面図。
【符号の説明】１・・青色光の蛍光型ＬＥＤ    ２・・緑色光の蛍光型ＬＥＤ    ３・・ビニールハウス４・・いちご植物定植苗    ５・・いちご植物定植苗    ６・・いちご植物定植苗
７・・いちご植物定植苗    ８・・緑色光の緑色ＬＥＤと黄色光の黄色ＬＥＤが配置、設  置されている蛍光型ＬＥＤ
９・・緑色光の緑色ＬＥＤと赤色光の赤色ＬＥＤが配置、設置されている蛍光型ＬＥＤ
１０・・ビニールハウス    １１・・いちご定植苗
１２・・いちご定植苗      １３・・いちご定植苗    １４・・いちご定植苗
１５・・青色光の蛍光型青色ＬＥＤ
【図１】
2014131506.tif 000011
【図２】
2014131506.tif 000012
【図３】
2014131506.tif 000013
【図４】
2014131506.tif 000014
【図５】
2014131506.tif 000015
【図６】
2014131506.tif 000016
【図７】
2014131506.tif 000017
【図８】
2014131506.tif 000018
【図９】
2014131506.tif 000019
【図１０】
2014131506.tif 000020
【手続補正書】
【提出日】平成26年3月27日(2014.3.27)
【手続補正１】
【補正対象書類名】明細書
【補正対象項目名】全文
【補正方法】変更
【補正の内容】
【発明の詳細な説明】
【技術分野】
【０００１】本発明は、植物の葉体に夜間に青色光、緑色光を照射し植物の葉体内にフェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法に関する。且つ植物の葉体に夜間に青色光、緑色光、黄色光、赤色光の複合光線を照射しうる装置にて、植物の葉体内にケルダール窒素、とフェノール含有量を増加せしめる植物育成制御方法に関する。
【背景技術】
【０００２】植物の栽培において害虫による被害により、作物生産量の減収が大きな問題となっている。害虫を防除の為に多大な経費を掛け農薬にての防除を施用しているのが現実であります。しかし薬剤の害虫への耐性が付きやすく農薬防除が困難になっている。
農薬害虫防除の処理回数の多さにより、植物の成育を妨げている。
【発明が解決しようとする課題】
【０００３】特にハダニ、アブラムシ等の害虫の防除に関しては点滴昆虫の利用が普及してきた。
しかし点滴昆虫に影響のない農薬との併用での使用防除の為に多く困難さがある。
又農薬害虫防除の回数の多く処理すればするほど、植物の成育を遅らせる原因となる。
【課題を解決するための手段】
【０００４】植物の葉体内に本来植物は、害虫を防除するための弱いフェノール物質含有している、当該植物の含有量を増加させる為に、青色、緑色の単独光線や、青色、緑色の複合させた光線を夜間に照射し、フェノール物質の含有量を増加させ害虫防除を特徴とする。
青色、緑色、赤色、黄色の複合させた光線を夜間に、照射しうる装置にて、ケルダール窒素の含有量を増加させて、害虫防除の為のフェノール物質含有量の過大な増加による、当該植物の過度のフェノール物質による当該植物の育成の抑制となるストレスを和らげながら、うどんこ病、ダニ等の病害虫の防除をする、植物育成制御技術に利用する方法。
【０００５】本来植物自体生合成している物質で、害虫が葉体を大量に食べ続けるとやがて害虫は弱り死滅することにより、植物自体の育成を保持させて、害虫の大量発生を防止させている穏やかな毒といわれているのが、フェノール物質であります。フェノール物質とケルダール窒素即ち、たんぱく質等の増加効果は、植物自体の病害虫防除や植物の育成を制御できる。
【０００６】本発明によれば、青色、緑色の単独光線、青と緑色の複合色光線を利用し夜間照射することにより、自然な方法で当該植物の葉体内にフェノール物質を増加させ害虫たる成虫や孵化幼虫に当該植物の葉液を吸汁させて害虫の生育を抑制せしめ、やがて死滅させる事を特徴とする。又青色、緑色、黄色、赤色の複合色光線を利用しうる装置にて、夜間照射し、ケルダール物質を増加させながら、フェノール物質の過大増加による当該植物の育成の抑制となるストレスをも和らげ、植物の育成を制御できる方法。
【０００７】特許公開２０１０−２７９３４５
特許公開２０１１−１１５
特許公開２０１１−５５８１６
上記記載の文献にて光線利用にて葉体内にたんぱく質が増加していく事が実証されている事が明記されている。
【０００８】当該植物の葉体内に青色光を夜間照射しフェノール物質を増加させながら前記記載の「［０００７］」項にて記載実証明示されているごとく、当該植物の葉体内に青色光と緑色光とを複合照射し、当該植物の葉体内にたんぱく質を蓄え備へ、当該植物の葉体内の栄養濃度であるたんぱく質を高濃度に保持しながら、当該植物の葉体内のフェノール物質をも増加含有せしめ、当該植物の葉液を、害虫たる成虫や孵化幼虫に、吸汁させて害虫の生育を抑制せしめ、やがて死滅させる事を可能にした。
特に害虫であるハダニ、によるいちご作物被害の軽減、とまと作物被害をもたらすシルバーリーフコナジラミやタバココナジラミによる黄化葉巻病の軽減、等アブラムシ、青虫、ヨトウ虫、コナジラミ、コナガ、アザミウマ等の、葉の葉液を吸汁する害虫等を防除出来る。
【０００９】又植物の葉体に夜間に青色光、緑色光、黄色光、赤色光の複合光線を有する装置にて当該植物に照射し、当該植物の葉体内にケルダール窒素を増加させて植物育成する、又植物自体に徐々に増加する害虫防除効果を持つフェノール物質、害虫駆除の為に過大フェノール物質が増加する、又当該植物の育成の抑制をもたらす、ストレスとなる為に、当該育成植物体内の栄養蛋白質たる、ケルダール窒素をも増加せしめて、当該育成植物の育成の抑制となるストレスを和らげ、且つ植物の生育、生産スピードを上げ、害虫防除をも出来る植物育成制御が可能になる方法。
【００１０】青色、緑色の単独光線、青と緑色複合色光線を夜間照射処理ことにより、いちご植物とまと、きゅうり、ピーマン、すいか、メロン等の果菜類や小松菜、チンゲン菜、ほうれん草等の葉菜類植物や菊、ガーベラ、カーネンション、らん、シクラメン、ユリ等の花卉類又さくらんぼ、オウトウ等の果樹類の害虫防除が出来る。
【００１１】又、上記記載植物の葉体に夜間に青色光、緑色光、黄色光、赤色光との複合光線を有する装置として照射し、当該植物の葉体内にケルダール窒素増加させながら、当該植物を育成すると共に、当該植物の葉体内に徐々に増加しうる、害虫駆除効果を有する、フェノール物質も過大の増加をもたらす。
【００１２】当該植物に過剰に増加するフェノール物質は、当該植物の育成の抑制となるストレスをもたらす為、当該植物の葉体内にケルダール窒素増加をうながし、過剰に増加するフェノール物質による当該植物の育成を抑制するストレスを和らげながら、成育スピードを上げることが出来る植物育成制御方法が可能になった。
【００１３】又植物の種類により、複合光線の光線色の装置により、花芽には、影響を与えないようにし、当該複合光線の装置にて、光線色、光量調整をして、夜間、暗黒時において植物に照射することが出来、植物育成制御の利用方法が可能になった。
【００１４】夜間とは、植物への太陽光等の自然光線が減少または、遮断した状態を云う。
【発明を実施するための形態】
【００１５】本発明の実施形態を、フェノール含有量を精度の高い方法にて４−アミノアンチピリン測定法にて測定ああする。当発明の基準になった上記記載の４−アミノアンチピリン測定法に基づき、いちご植物の葉体を乾燥後熱湯にて煮沸し、ろ過抽出しクロロホルム、フェノール試薬処理をし、２段階分析後にサンプルを取り出しＨＡＣＨ社製分光光度計３０００Ｒにてフェノール含有量の測定を行っています。
【００１６】又、本発明の実施形態を、タンパク質の定量法として、精度の高い方法として燃焼後に窒素量を測定するデルマ法と、硫酸分解後にアンモニア量を測定するケルダール法等があります。当発明の基準になった測定法は、後者の方法でいちご植物の葉柄、葉体をＨＡＣＨ社製ダイジェスタール２３１３０−２０型で強酸の硫酸にて４４０度Ｃにて煮沸させながら強酸化剤過酸化水素水を点滴し、２段階分解後にサンプルを取り出し、ＨＡＣＨ社製分光光度計３０００Ｒにてアンモニア量を測定するゲルタール法に基づくものであり，精度の高いタンパク質の定量法にて測定を行なっています。
【００１７】いちごハウスの中において、いちご植物の育成中の葉体に無照射、緑色単独光、青色単独光、青色光と緑色光を一平面上からの複合光等の照射条件の光線源たる蛍光灯型ＬＥＤ電源を設け、設定し、当該いちご植物の上面１．５ｍの高さから夜間にいちご植物に照射し、当該いちご植物の葉体内にフェノールを蓄積させ、当該いちご植物の葉体内に蓄積された含有させたフェノールを、当該いちご植物の葉液をハダニに吸汁させてハダニの減少度合いを比較検証した。
【実施例１】
【００１８】育成中のいちご植物のビニールハウス間口６ｍ奥行１００ｍ、定植苗３８００本のハウス内において、ハダニの発生をしたビニールハウス１００ｍ内を試験区とした。【００１９】上記「［００１８］」記載のビニールハウス内において効果および実証結果を図１、図２、図３、図４、図５及び表１、表２、実施例、に基づき詳細に説明する。
ビニールハウス平面図１のＡ−Ａ矢視立面図２の表示の如く、いちご植物の定植苗４の上面１．５ｍの高さに青色光の蛍光灯型ＬＥＤ１をビニールハウス平面図１の表示の如くビニールハウス３の奥行に５ｍ間隔にハウス３の間口と平行に吊り下げ設置した。【００２０】次にビニールハウス平面図１のＢ−Ｂ矢視図立面図３の表示の如く、いちご植物の定植苗５の上面１．５ｍの高さに緑色光の蛍光灯型ＬＥＤ２をビニールハウス平面図１の表示の如くビニールハウス３の奥行に５ｍ間隔にビニールハウス３の間口と平行に吊り下げ設置した。【００２１】次にビニールハウス平面図１のＣ−Ｃ矢視図立面図４の表示の如く、いちご植物の定植苗６の上面１．５ｍの高さに緑色光の蛍光灯型ＬＥＤ２を５ｍ間隔に吊り下げ設置し、緑色光の蛍光灯型ＬＥＤ２を５ｍ間隔に吊り下げ設置した緑色光の蛍光灯型ＬＥＤ２と緑色光の蛍光灯型ＬＥＤ２との中間部にビニールハウス３の間口と直角方向に青色光の蛍光灯型ＬＥＤ１をビニールハウス平面図１の表示の如く吊り下げ設置した。【００２２】次にビニールハウス平面図１のＤ−Ｄ矢視図立面図５の表示の如く、いちご植物の定植苗７の上面には、無照射とした。【００２３】記載の「［００１８］」「［００１９］」「［００２０］」「［００２１］」「［００２２］」にて、表示説明のごとく、青色光の蛍光灯型ＬＥＤ１単独光を照射、緑色光の蛍光灯型ＬＥＤ２単独光を照射、緑色光の蛍光灯型ＬＥＤ２との中間部にハウス３の間口と直角方向に青色光の蛍光灯型ＬＥＤ１をビニールハウス平面図１の表示の如く吊り下げ設置して、複合光を照射、いちご植物の定植苗７の上面には、無照射とし、ビニールハウス３の中の、当該いちご植物の定植苗４、定植苗５、定植苗６、定植苗７、に点灯処理して表１、表２にて点灯後１０日後、３０日後に、当該いちご植物の定植苗の葉体内のフェノール含有量とハダニの減少度合いを比較検証し表１、表２に表示した。【００２４】表１は、点灯照射後１０日後であり、青色光の蛍光灯型ＬＥＤ１は、フェノール含有量０．１９０ｍｇ／Ｌ，ハダニ数７匹、緑色光の蛍光灯型ＬＥＤ２は、フェノール含有量０．１７５ｍｇ／Ｌ，ハダニ数２０匹、青色光の蛍光灯型ＬＥＤ１と緑色光の蛍光灯型ＬＥＤ２の複合光は、フェノール含有量０．２ｍｇ／Ｌ，ハダニ数８匹、無照射のフェノール含有量０．１６０ｍｇ／Ｌ，ハダニ数５０匹であった。【００２５】表２は、点灯照射後３０日後であり、青色光の蛍光灯型ＬＥＤ１は、フェノール含有量０．２１４ｍｇ／Ｌ，ハダニ数０匹、緑色光の蛍光灯型ＬＥＤ２は、フェノール含有量０．１８８ｍｇ／Ｌ，ハダニ数７匹、青色光の蛍光灯型ＬＥＤ１と緑色光の蛍光灯型ＬＥＤ２の複合光は、フェノール含有量０．２５１ｍｇ／Ｌ，ハダニ数０匹、無照射のフェノール含有量０．１７２ｍｇ／Ｌ，ハダニ数１５０匹であった。【００２６】前記記載の「［００２４］」表１、「［００２５］」表２の如く表１に基づき説明すると、点灯１０日後に於いて青色光の蛍光灯型ＬＥＤ１と緑色光の蛍光灯型ＬＥＤ２との複合光は、フェノール含有量０．２ｍｇ／Ｌ，ハダニ数８匹であり、青色光の蛍光灯型ＬＥＤ１は、フェノール含有量０．１９０ｍｇ／Ｌ，ハダニ数７匹であり、緑色光の蛍光灯型ＬＥＤ２は、フェノール含有量０．１７５ｍｇ／Ｌ，ハダニ数２０匹であった、無照射のフェノール含有量０．１６０ｍｇ／Ｌ，ハダニ数５０匹であった。１０日後に於いてフェノール含有量の多い当該いちご定植苗にはハダニの数は少なく、フェノール含有量の少ない当該いちご定植苗にはハダニの数は多くあらわれている。【００２７】点灯３０日後に於いて青色光の蛍光灯型ＬＥＤ１と緑色光の蛍光灯型ＬＥＤ２の複合光は、フェノール含有量０．２５１ｍｇ／Ｌ，ハダニ数０匹であり、青色光の蛍光灯型ＬＥＤ１は、フェノール含有量０．２１４ｍｇ／Ｌ，ハダニ数０匹、緑色光の蛍光灯型ＬＥＤ２は、フェノール含有量０．１８８ｍｇ／Ｌ，ハダニ数７匹であり、無照射のフェノール含有量０．１７２ｍｇ／Ｌ，ハダニ数１５０匹であった。３０日後に於いては、フェノール含有量の増加するに従いハダニが減少し、無点灯の当該いちご定植苗のフェノール含有量が少なく、３０日後にてもフェノール含有量に変動変化のない当該いちご定植苗にはハダニは異常に増加している。【００２８】上記記載の「［実施例１］」の如く青色光、緑色光、青色光と緑色光との複合光線による当該いちご植物の定植苗にてフェノール含有量の増加によりハダニが当該いちご植物の定植苗の葉体の葉液を吸汁し弱り死滅することを実証した。
【表１】
2014131506.tif 000021
【表２】
2014131506.tif 000022
【表３】
2014131506.tif 000023
【表４】
2014131506.tif 000024
【表５】
2014131506.tif 000025
又、表５によると、表４表示の５０日目に消灯し表５表示の表５の如く消灯１５日間にて、青色単独光はフェノール含有量は、０．２８ｍｇ／Ｌから０．１９ｍｇ／Ｌに減少、緑色単独光は、０．２６ｍｇ／Ｌから０．１８ｍｇ／Ｌに減少、青色と緑色の複合光０．３５ｍｇ／Ｌから０．２４ｍｇ／Ｌに減少、無照射は０．１７ｍｇ／Ｌから０．１６ｍｇ／Ｌに微小に減少している。
表１、と表４に基づく考察によると無照射は、フェノール含有量は、微少の減少であるが、青色と緑色の複合光は、表１の含有量０．２ｍｇ／Ｌから表４の含有量０．３５ｍｇ／Ｌに増加、緑色単独光は、表１の含有量０．１７５ｍｇ／Ｌから表４の含有量０．２６ｍｇ／Ｌに増加、青色の単独光は、表１の含有量０．１９ｍｇ／Ｌから表４の含有量０．２８ｍｇ／Ｌに増加量が、増加している。
表１、と表５に基づき考察すると、消灯後１５日目にて、ハダニの減少割合とフェノール含有量とを比較検証すると、緑色単独光ハダニ数が２０から１５、青色単独光７から５、青色と緑色の複合光は８から０であり、フェノール含有量は消灯後１５日目に緑色の単独光は、０．１８ｍｇ／Ｌ、青色の単独光は、０．１９ｍｇ／Ｌ、青色と緑色の複合光は、０．２４ｍｇ／Ｌである。フェノール増加量の多さが消灯後１５日目にてもハダニが減少していることが明らかである。
青色と緑色の複合光は、緑色単独光青色、単独光フェノール含有量が、より多いことにより、ハダニがより多く減少させていることが、表１、表２、表３、表４、表５の表示の如く「［実施例１］」実施例に基づき実証した。【００２９】又表３、表４に基づき説明すると、表３表示の如く、青色光フェノール、０．２７ｍｇ／Ｌ、緑色光フェノール、０．２４ｍｇ／Ｌ、青色と緑色の複合光フェノール０．３１ｍｇ／Ｌ、表４の表示の如く、青色光フェノール、０．２８ｍｇ／Ｌ、緑色光フェノール、０．２６ｍｇ／Ｌ、青色と緑色の複合光フェノール０．３５ｍｇ／Ｌ、である。【００３０】表３表示の当該いちご定植苗の葉体内のケルダール窒素すなわち、葉体内の栄養濃度を司る、タンパク質濃度は、表３表示の如く、青色光ケルダール窒素は、１００ＰＰＭ，緑色光ケルダール窒素は１１０ＰＰＭ、青色と緑色の複合光ケルダール窒素は、１３５ＰＰＭである。【００３１】表４の表示は、青色光ケルダール窒素は、１０８ＰＰＭ，緑色光ケルダール窒素は１２３ＰＰＭ、青色と緑色の複合光ケルダール窒素は、１４６ＰＰＭ、が表示されている。【００３２】葉の展開枚数は、表示３にては、青色光は、１３枚、緑色光は、１４枚、青色と緑色の複合光は、１５枚である。【００３３】表示４にては、青色光は、１４枚、緑色光は、１５．５枚、青色と緑色の複合光は、１７枚弱である。【００３４】上記表示３、表示４のデータによると、フェノール含有量が青色と緑色の複合光を考察すると、０．３１ｍｇ／Ｌから０．３５ｍｇ／Ｌに多く増加していても、葉体内の栄養濃度を司る、ケルダール窒素が１３５ＰＰＭから１４６ＰＰＭに多く増加することにより、当該いちご定植苗の葉の展開枚数が１５枚から１７枚弱に増えている。【００３５】青色単独光のフェノール含有量が０．２７ｍｇ／Ｌから０．２８ｍｇ／Ｌに増加している。又葉体内の栄養濃度を司る、ケルダール窒素が１００ＰＰＭから１０８ＰＰＭに増加している。【００３６】緑色単独光のフェノール含有量が０．２４ｍｇ／Ｌから０．２６ｍｇ／Ｌに増加して、葉体内の栄養濃度を司る、ケルダール窒素が１１０ＰＰＭから１２３ＰＰＭに増加している。【００３７】青色単独光は、１３枚から１４枚に増えている。【００３８】緑色単独光は１４枚から１５．５枚に増えている。【００３９】当該いちご定植苗の葉の展開枚数が青色と緑色の複合光は、１５枚から１７枚弱に増えている。【００４０】青色と緑色の複合光はケルダール窒素の増加量多い事による成長スピードすなわち、葉の展開枚数の差すなわち、青色単独光は１枚、緑色単独光は１．５枚青色と緑色の複合光は２枚葉の展開の差の効果がケルダール窒素の増加による成長の効果として実証できた。【００４１】青色光、緑色光、黄色光、赤色光の複合光線を利用し、当該育成植物体内の栄養蛋白質たる、ケルダール窒素をも増加せしめ、且つ当該いちご定植苗の育成中にいちご定植苗にフェノール含有量をも増加させる。【００４２】過大に害虫防除効果のフェノール含有量を増加させると、当該育成植物の成育の抑制となりうるストレスを和らげ無ければならぬことになる。【００４３】且つ植物の生育、生産スピードを上げ、害虫防除をも出来る植物育成制御方法が青色光、緑色光、黄色光、赤色光の複合光線有する装置にて当該植物に照射することにより、当該いちご定植苗の葉体内にケルダール窒素を増加せしめ、且つフェノール含有量を増加させ植物育成することが可能になったことを検証した事を、実施例に基づき説明する。
【実施例２】
【００４４】育成中のいちご定植のビニールハウス間口６ｍ奥行５０ｍに定植苗１９００本のハウス内に定植し、ビニールハウス５０ｍ内のいちご定植苗のケルダール窒素の含有量とフェノールの含有量の比較試験区とした。【００４５】上記「［００３７］」記載のビニールハウス内において効果および実証結果を図６、図７、図８、図９、図１０及び表６、表７、表示８、「［実施例２］」に基づき詳細に説明する。ビニールハウス平面図６のＥ−Ｅ矢視立面図、図７の表示の如く、いちご植物の定植苗１１の上面１．５ｍの高さに緑色光の緑色ＬＥＤと黄色光の黄色ＬＥＤが配置、設置されている複合光線を有するＬＥＤであり、緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該複合光線を有するＬＥＤ８をビニールハウス平面図、図６の表示の如くビニールハウス１０の奥行に５ｍ間隔にハウス１０の間口と平行に吊り下げ設置した。【００４６】次にビニールハウス平面図６のＦ−Ｆ矢視図立面図、図８の表示の如く、いちご植物の定植苗１２の上面１．５ｍの高さに緑色光の緑色ＬＥＤと赤色光の赤色ＬＥＤが配置、設置されている複合光線を有するＬＥＤであり、緑色光の緑色ＬＥＤに対して赤色光の赤色ＬＥＤの配置、設置割合は約５％であり、配列にては、当該緑色ＬＥＤに対して当該赤色ＬＥＤは、約５％配置割合を保持しつつ数回繰り返し置き並べられて設置されている。複合光線を有する当該複合光線を有するＬＥＤ９をビニールハウス平面図、図６の表示の如くビニールハウス１０の奥行に５ｍ間隔にビニールハウス１０の間口と平行に吊り下げ設置した。【００４７】次にビニールハウス平面図、図６のＧ−Ｇ矢視図立面図、図９の表示の如く、いちご植物の定植苗１３の上面１．５ｍの高さに緑色光の緑色ＬＥＤと黄色光の黄色ＬＥＤが配置、設置されている複合光線を有するＬＥＤであり、緑色光の緑色ＬＥＤに対して黄色光の黄色ＬＥＤの設置割合は約５％であり、配列にては、当該緑色ＬＥＤに対して当該黄色ＬＥＤは、約５％配置割合を保持しつつ数回繰り返し置き並べられて設置されている。
当該ＬＥＤの緑光線と黄色光線との複合光線を有する当該複合光線を有するＬＥＤ８を５ｍ間隔に吊り下げ設置した。
当該複合光線を有するＬＥＤ８と当該複合光線を有するＬＥＤ８との中間部にビニールハウス平面図、図６の間口と直角方向に青色光の蛍光灯型青色ＬＥＤ１５をビニールハウス平面図、図６の表示の如く吊り下げ設置した。【００４８】次にビニールハウス平面図、図６のＨ−Ｈ矢視図立面図、図１０の表示の如く、いちご植物の定植苗１４の上面１．５ｍの高さに緑色光の緑色ＬＥＤと赤色光の赤色ＬＥＤが配置、設置されている複合光線を有するＬＥＤであり、緑色光の緑色ＬＥＤに対して赤色光の赤色ＬＥＤの設置割合は約５％であり、配列にては、当該緑色ＬＥＤに対して当該赤色ＬＥＤは、約５％配置割合を保持しつつ数回繰り返し置き並べられて設置されている。
当該ＬＥＤの緑光線と赤色光線との複合光線を有する当該複合光線を有するＬＥＤ９を５ｍ間隔に吊り下げ設置した。
当該複合光線を有するＬＥＤ９と当該複合光線を有するＬＥＤ９との中間部にビニールハウス平面図、図６の間口と直角方向に青色光の蛍光灯型青色ＬＥＤ１５をビニールハウス平面図、図６の表示の如く吊り下げ設置した。【００４９】前記記載の「［００４５］」「［００４６］」「［００４７］」「［００４８］」にて、表示説明のごとく、緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該複合光線を有するＬＥＤ８をいちご植物の１．５ｍの高さから定植苗１１に照射した。【００５０】緑色光の緑色ＬＥＤに対して赤色光の赤色ＬＥＤの配置、設置割合は約５％であり、配列にては、当該緑色ＬＥＤに対して当該赤色ＬＥＤは、約５％配置割合を保持しつつ数回繰り返し置き並べられて設置されている、複合光線を有する当該複合光線を有するＬＥＤ９をいちご植物の１．５ｍの高さから定植苗１２に照射した。【００５１】緑色光の緑色ＬＥＤに対して黄色光の黄色ＬＥＤの配置、設置割合は約５％であり、配列にては、当該緑色ＬＥＤに対して当該黄色ＬＥＤは、約５％配置割合を保持しつつ数回繰り返し置き並べられて設置されている、複合光線を有する当該複合光線を有するＬＥＤ８と当該複合光線を有するＬＥＤ８との中間部にハウス平面図、図６の間口と直角方向に青色光の蛍光灯型青色ＬＥＤ１５をビニールハウス平面図、図６の表示の如く吊り下げ設置して、複合光をいちご植物の１．５ｍの高さから定植苗１３に照射した。【００５２】又緑色光の緑色ＬＥＤに対して赤色光の赤色ＬＥＤの配置、設置割合は約５％であり、配列にては、当該緑色ＬＥＤに対して当該赤色ＬＥＤは、約５％配置割合を保持しつつ数回繰り返し置き並べられて設置されている、複合光線を有する当該複合光線を有するＬＥＤ９と当該複合光線を有するＬＥＤ９との中間部にハウス平面図６の間口と直角方向に青色光の蛍光灯型青色ＬＥＤ１５をビニールハウス平面図、図６の表示の如く吊り下げ設置して、複合光をいちご植物の１．５ｍの高さから定植苗１４に照射した。【００５３】ビニールハウス１０の中の、当該いちご定植苗１１、いちご定植苗１２、いちご定植苗１３、いちご定植苗１４、に４０日間点灯処理して表６に表示、４０日照射処理後に、１０日間消灯して表７に表示、当該いちご植物の定植苗の葉体内のフェノール含有量とケルダール窒素の含有量の度合いを比較検証し表６、表７、表示８にて表示した。
【表６】
2014131506.tif 000026
【表７】
2014131506.tif 000027
但し  表６、表７のデータの、いちご定植苗の無照射データは下記の表示８の通り。
2014131506.tif 000028
表、表示についてＬＥＤの光源、表６、表７の緑色と黄色の複合光とは、緑色光の緑色ＬＥＤと黄色光の黄色ＬＥＤが配置、設置されている複合光線を有するＬＥＤで、緑色光の緑色ＬＥＤに対して黄色光の黄色ＬＥＤの配置、設置割合は、約５％であり、配列にては、当該緑色ＬＥＤに対して当該黄色ＬＥＤは、約５％なる配置割合を保持しつつ数回繰り返し置き並べられて設置されている、当該複合光線を有するＬＥＤである。【００５４】表、表示についてＬＥＤの光源、表６、表７緑色と赤色の複合光とは、緑色光の緑色ＬＥＤと赤色光の赤色ＬＥＤが配置、設置されている複合光線を有するＬＥＤであり、緑色光の緑色ＬＥＤに対して赤色光の赤色ＬＥＤの配置、設置割合は約５％であり、配列にては、当該緑色ＬＥＤに対して当該赤色ＬＥＤは、約５％なる配置割合を保持しつつ数回繰り返し置き並べられて設置されている、当該複合光線を有するＬＥＤである。【００５５】表、表示についてＬＥＤの光源、表６、表７の緑色と黄色複合光＋青色光とは、緑色光の緑色ＬＥＤと黄色光の黄色ＬＥＤが配置、設置されている複合光線を有するＬＥＤであり、緑色光の緑色ＬＥＤに対して黄色光の黄色ＬＥＤの設置割合は約５％であり、配列にては、当該緑色ＬＥＤに対して当該黄色ＬＥＤは、約５％なる配置割合を保持しつつ数回繰り返し置き並べられて設置されている、複合光線を有する当該複合光線を有するＬＥＤと青色光の青色蛍光型ＬＥＤとの複合光である。【００５６】表、表示についてＬＥＤの光源、表６、表７の緑色と赤色複合光＋青色光とは、緑色光の緑色ＬＥＤと赤色光の赤色ＬＥＤが配置、設置されているＬＥＤであり、緑色光の緑色ＬＥＤに対して赤色光の赤色ＬＥＤの設置割合は約５％であり、配列にては、当該緑色ＬＥＤに対して当該赤色ＬＥＤは、約５％なる配置割合を保持しつつ数回繰り返し置き並べられて設置されている、複合光線を有する当該ＬＥＤ当該複合光線を有するＬＥＤと青色光の青色蛍光型ＬＥＤとの複合光である。【００５７】表６は、点灯照射後４０日目である、緑色と黄色の複合光のフェノール含有量が、０．２４５ｍｇ／Ｌであり、表７の消灯後１０日目にて緑色と黄色の複合光のフェノール含有量は０．１７８ｍｇ／Ｌに減少している。【００５８】表６は、点灯照射後４０日目である、緑色と赤色の複合光のフェノール含有量が、０．２ｍｇ／Ｌであり、表７の消灯後１０日目にて緑色と赤色の複合光のフェノール含有量は０．１２８ｍｇ／Ｌに減少している。【００５９】表６は、点灯照射後４０日目である、緑色と黄色の複合光＋青色光のフェノール含有量が、０．３０ｍｇ／Ｌであり、表７の消灯後１０日目にて緑色と黄色の複合光＋青色光のフェノール含有量は０．２３ｍｇ／Ｌに減少している。【００６０】表６は、点灯照射後４０日目である、緑色と赤色の複合光＋青色光のフェノール含有量が、０．２６ｍｇ／Ｌであり、表７の消灯後１０日目にて緑色と赤色の複合光＋青色光のフェノール含有量は０．１８０ｍｇ／Ｌに減少している。【００６１】表６は、点灯照射後４０日目である、緑色と黄色の複合光のケルダール窒素含有量が、１２０ＰＰＭであり、表７の消灯後１０日目にて緑色と黄色の複合光のケルダール窒素含有量が、１０５ＰＰＭに減少している。【００６２】表６は、点灯照射後４０日目である、緑色と赤色の複合光のケルダール窒素含有量が、１１２ＰＰＭであり、表７の消灯後１０日目にて緑色と赤色の複合光のケルダール窒素含有量が、９８ＰＰＭに減少している。【００６３】表６は、点灯照射後４０日目である、緑色と黄色の複合光＋青色光のケルダール窒素含有量が、１３２ＰＰＭであり、表７の消灯後１０日目にて緑色と黄色＋青色光の複合光のケルダール窒素含有量が、１２０ＰＰＭに減少している。【００６４】表６は、点灯照射後４０日目である、緑色と赤色の複合光＋青色光のケルダール窒素含有量が、１２９ＰＰＭであり、表７の消灯後１０日目にて緑色と赤色＋青色光の複合光のケルダール窒素含有量が、１１８ＰＰＭに減少している。【００６５】表示８は、無照射のいちご定植苗でフェノール含有量は０．１６ｍｇ／Ｌである。
ケルダール窒素の含有量は、８０ＰＰＭである。【００６６】上記データに基づき考察すると、いちご定植苗に複合光線を照射時と消灯後１０日目でも、表示８の如く、無照射のいちご定植苗でフェノール含有量は約０．１６ｍｇ／Ｌであった。ケルダール窒素の含有量は、約８０ＰＰＭであった。
いちご定植苗に複合光線を照射した当該いちご定植苗の数値が表７の如く、消灯後も上記表示の如く、高く維持し害虫に駆除能力をもつフェノール含有量を保持しながら、植物体内の栄養濃度を司る、ケルダール窒素をも高い値を保持している。【００６７】表３、表４にても、「［００２９］」にて実証した前記記載や、上記「［００３０］」「［００３１］」「［００３２］」「［００３３］」「［００３４］」「［００３５］」「［００３６］」「［００３７］」「［００３８］」「［００３９］」「［００４０］」「［００４１］」「［００４２］」「［００４３］」「［００４４］」「［００４５］」「［００４６］」「［００４７］」「［００４８］」「［００４９］」「［００５０］」「［００５１］」「［００５２］」「［００５３］」「［００５４］」「［００５５］」「［００５６］」「［００５７］」「［００５８］」「［００５９］」「［００６０］」「［００６１］」「［００６２］」「［００６３］」「［００６４］」「［００６５］」「［００６６］」記載の如く、複合光線を有する装置にて植物に照射することにより、植物自体に徐々に増加する害虫防除効果を持つフェノール物質の増加方法。【００６８】表３、表４にても、「［００２９］」にて実証した前記記載や、上記「［００３０］」「［００３１］」「［００３２］」「［００３３］」「［００３４］」「［００３５］」「［００３６］」「［００３７］」「［００３８］」「［００３９］」「［００４０］」「［００４１］」「［００４２］」「［００４３］」「［００４４］」「［００４５］」「［００４６］」「［００４７］」「［００４８］」「［００４９］」「［００５０］」「［００５１］」「［００５２］」「［００５３］」「［００５４］」「［００５５］」「［００５６］」「［００５７］」「［００５８］」「［００５９］」「［００６０］」「［００６１］」「［００６２］」「［００６３］」「［００６４］」「［００６５］」「［００６６］」記載の如く、又フェノール物質が多大な増加が、育成植物の生長の抑制をもたらす物質となる為に、当該育成植物体内の栄養蛋白質たる、ケルダール窒素をも増加せしめて、当該いちご定植苗の育成中に増加するフェノール物質による成育の抑制にもなる、ストレスをも和らげ、且つ植物の生育、生産スピードを上げ、害虫防除をも出来うる、ケルダール窒素増加方法。【００６９】青色光、緑色光、黄色光、赤色光の複合光線を有する装置にて照射し、当該いちご定植苗の葉体内にケルダール窒素を増加せしめ、徐々に増加する害虫防除効果を持つフェノール物質をも増加方法により植物育成制御が可能になったことを検証した。
【図面の簡単な説明】
【図１】は、ビニールハウス平面図。
【図２】は、Ａ−Ａ矢視立面図。
【図３】は、Ｂ−Ｂ矢視立面図。
【図４】は、Ｃ−Ｃ矢視立面図。
【図５】は、Ｄ−Ｄ矢視立面図。
【図６】は、ビニールハウス平面図。
【図７】は、Ｅ−Ｅ矢視立面図。
【図８】は、Ｆ−Ｆ矢視立面図。
【図９】は、Ｇ−Ｇ矢視立面図。
【図１０】は、Ｈ−Ｈ矢視立面図。
【符号の説明】１・・青色光の蛍光型ＬＥＤ  ２・・緑色光の蛍光型ＬＥＤ  ３・・ビニールハウス
４・・いちご植物定植苗      ５・・いちご植物定植苗      ６・・いちご植物定植苗
７・・いちご植物定植苗      ８・・緑色光の緑色ＬＥＤと黄色光の黄色ＬＥＤが配置、設置されている複合光線を有するＬＥＤ
９・・緑色光の緑色ＬＥＤと赤色光の赤色ＬＥＤが配置、設置されている複合光線を有するＬＥＤ
１０・・ビニールハウス    １１・・いちご定植苗
１２・・いちご定植苗      １３・・いちご定植苗    １４・・いちご定植苗
１５・・青色光の蛍光型青色ＬＥＤ
【手続補正２】
【補正対象書類名】特許請求の範囲
【補正対象項目名】全文
【補正方法】変更
【補正の内容】
【特許請求の範囲】
【請求項１】
当該植物の葉体に青色光の長波長の光を夜間に照射し、フェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項２】
当該植物の葉体に緑色光の長波長の光を夜間に照射し、フェノール含有量を増加せしめ害虫たる成虫や孵化幼虫に、当該植物の葉液を吸汁させ害虫たる成や孵化幼虫の生育を抑制せしめながら死滅させる光利用の害虫防除の方法。
【請求項３】
青色光と緑色光の長波長の光を一平面状より当該植物の葉体に夜間に照射しフェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項４】
請求項１記載の青色光の波長が最大ピーク４４３ｎｍで４３０ｎｍ〜４６０ｎｍであることを特徴した請求項１記載の光利用の害虫防除の方法。
【請求項５】
請求項２記載の緑色光の波長が最大ピーク５１８ｎｍで４８０ｎｍ〜５６０ｎｍであることを特徴した請求項２記載の光利用の害虫防除の方法。
【請求項６】
青色光と緑色光の長波長の光を一平面状より当該植物の葉体に夜間に照射し、請求項４、請求項５記載の光利用の害虫防除の方法。
【請求項７】
当該植物の葉体に夜間に照射する光の光量子量は２μｍｏｌ／ｍ２／ｓ以上で８μｍｏｌ／ｍ２／ｓ以下であることを特徴とする請求項１、請求項２、請求項３、請求項４、請求項５、請求項６記載の光利用の害虫防除の方法。
【請求項８】
緑色光の緑色ＬＥＤと黄色光の黄色ＬＥＤが配置、設置されているＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項９】
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されている照明装置により、当該ＬＥＤの緑光線と赤色光線の複合光線を有する当該ＬＥＤの複合光線を一平面状より当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１０】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線の複合光線を有する当該ＬＥＤと青色光の青色ＬＥＤとを一平面状に置き並べ当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１１】
緑色光の緑色ＬＥＤと赤色光の赤色ＬＥＤが配置、設置されているＬＥＤであり、緑色光の緑色ＬＥＤに対して赤色光の赤色ＬＥＤの配置割合は少であり、配列にては、当該緑色ＬＥＤに対して当該赤色ＬＥＤは、少なる配置割合を保持しつつ数回繰り返し置き並べられて設置されている照明装置により、当該ＬＥＤの緑光線と赤色光線との複合光線を有する当該ＬＥＤと青色光の青色ＬＥＤとを当該植物に一平面状に置き並べ夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１２】
青色光の青色ＬＥＤと黄色光の黄色ＬＥＤが配置、設置されているＬＥＤであり、青色光の青色ＬＥＤに対して黄色光の黄色ＬＥＤの配置、設置割合は少であり、配列にては、当該青色ＬＥＤに対して当該黄色ＬＥＤは、少なる配置割合を保持しつつ数回繰り返し置き並べられて設置されている照明装置により、当該ＬＥＤの青光線と黄色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１３】
青色光の青色ＬＥＤと赤色光の赤色ＬＥＤが配置、設置されているＬＥＤであり、青色光の青色ＬＥＤに対して赤色光の赤色ＬＥＤの配置、設置割合は少であり、配列にては、当該青色ＬＥＤに対して当該赤色ＬＥＤは、少なる配置割合を保持しつつ数回繰り返し置き並べられて設置されている照明装置により、当該ＬＥＤの青光線と赤色光線の複合光線を有する当該ＬＥＤの複合光線を一平面状より当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１４】
青色光の青色ＬＥＤと黄色光の黄色ＬＥＤが配置、設置されているＬＥＤであり、青色光の青色ＬＥＤに対して黄色光の黄色ＬＥＤの設置割合は少であり、配列にては、当該青色ＬＥＤに対して当該黄色ＬＥＤは、少なる配置割合を保持しつつ数回繰り返し置き並べられて設置されている照明装置により、当該ＬＥＤの青光線と黄色光線の複合光線を有する当該ＬＥＤと青色光の青色ＬＥＤとを一平面状に置き並べ当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１５】
青色光の青色ＬＥＤと赤色光の赤色ＬＥＤが配置、設置されているＬＥＤであり、青色光の青色ＬＥＤに対して赤色光の赤色ＬＥＤの配置割合は少であり、配列にては、当該青色ＬＥＤに対して当該赤色ＬＥＤは、少なる配置割合を保持しつつ数回繰り返し置き並べられて設置されている照明装置により、当該ＬＥＤの青光線と赤色光線との複合光線を有する当該ＬＥＤと青色光の青色ＬＥＤとを当該植物に一平面状に置き並べ夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１６】
青色光の青色ＬＥＤと緑色光の緑色ＬＥＤが配置、設置されているＬＥＤであり、青色光の青色ＬＥＤに対して緑色光の緑色ＬＥＤの配置、設置割合は少であり、配列にては、当該青色ＬＥＤに対して当該緑色ＬＥＤは、少なる配置割合を保持しつつ数回繰り返し置き並べられて設置されている照明装置により、当該ＬＥＤの青光線と緑色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１７】
植物に夜間に照射する光の光量子量は２μｍｏｌ／ｍ２／ｓ以上で８μｍｏｌ／ｍ２／ｓ以下であることを特徴とする請求項８、請求項９、請求項１０、請求項１１請求項１２、請求項１３、請求項１４、請求項１５，請求項１６記載の光利用の装置にてのフェノール含有量増加の方法。
【請求項１８】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線との複合光線を有する当該ＬＥＤの複合光線を当該植物に一平面状より夜間照射し、植物育成制御のための当該植物に光利用のケルダール窒素の含有量を増加の方法。
【請求項１９】
緑色光の緑色ＬＥＤと赤色光の赤色ＬＥＤが配置、設置されているＬＥＤであり、緑色光の緑色ＬＥＤに対して赤色光の赤色ＬＥＤの設置割合は少であり、配列にては、当該緑色ＬＥＤに対して当該赤色ＬＥＤは、少なる配置割合を保持しつつ数回繰り返し置き並べられて設置されている照明装置により、当該ＬＥＤの緑光線と赤色光線との複合光線を有する当該ＬＥＤの複合光線を当該植物に一平面状より夜間照射し、植物育成制御のための当該植物に光利用のケルダール窒素の含有量を増加の方法。
【請求項２０】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線との複合光線を有する当該ＬＥＤと青色光の青色ＬＥＤとを一平面状に置き並べ当該植物に夜間照射し、植物育成制御のための当該植物に光利用のケルダール窒素の含有量を増加の方法。
【請求項２１】
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と赤色光線との複合光線を有する当該ＬＥＤと青色光の青色ＬＥＤとを当該植物に一平面状に置き並べ夜間照射し、植物育成制御のための当該植物に光利用のケルダール窒素の含有量を増加の方法。
【請求項２２】
緑色光の緑色ＬＥＤと青色光の青色ＬＥＤが配置されているＬＥＤであり、緑色光の緑色ＬＥＤに対して青色光の青色ＬＥＤの設置割合は少であり、配列にては、当該緑色ＬＥＤに対して当該青色ＬＥＤは、少なる配置割合を保持しつつ数回繰り返し置き並べられて設置されている照明装置により、当該ＬＥＤの緑光線と青色光線との複合光線を有する当該ＬＥＤの複合光線を当該植物に一平面状より夜間照射し、植物育成制御のための当該植物に光利用のケルダール窒素の含有量を増加の方法。
【請求項２３】
緑色光の緑色ＬＥＤと青色光の青色ＬＥＤが配置、設置されているＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されている照明装置により、当該ＬＥＤの緑光線と青色光線との複合光線を有する当該ＬＥＤと青色光の青色ＬＥＤとを当該植物に一平面状に置き並べ夜間照射し、植物育成制御のための当該植物に光利用のケルダール窒素の含有量を増加の方法。
【請求項２４】
緑色光の緑色ＬＥＤと青色光の青色ＬＥＤが配置、設置されているＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されている、当該ＬＥＤの緑光線と青色光線との複合光線を有する当該ＬＥＤと緑色光の緑色ＬＥＤとを当該植物に一平面状に置き並べ夜間照射し、植物育成制御のための当該植物に光利用のケルダール窒素の含有量を増加の方法。
【請求項２５】
植物に夜間に照射する光の光量子量は２μｍｏｌ／ｍ２／ｓ以上で８μｍｏｌ／ｍ２／ｓ以下であることを特徴とする請求項１７記載、請求項１８記載、請求項１９記載、請求項２０、請求項２１、請求項２２、請求項２３、請求項２４、記載の植物育成制御のための当該植物光利用の装置にてのケルダール窒素の含有量を増加の方法。
【手続補正書】
【提出日】平成26年4月14日(2014.4.14)
【手続補正１】
【補正対象書類名】特許請求の範囲
【補正対象項目名】全文
【補正方法】変更
【補正の内容】
【特許請求の範囲】
【請求項１】
当該植物の葉体に青色光の光を夜間に照射し、フェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項２】
当該植物の葉体に緑色光の光を夜間に照射し、フェノール含有量を増加せしめ害虫たる成虫や孵化幼虫に、当該植物の葉液を吸汁させ害虫たる成や孵化幼虫の生育を抑制せしめながら死滅させる光利用の害虫防除の方法。
【請求項３】
青色光と緑色光の光を一平面状より当該植物の葉体に夜間に照射しフェノール含有量を増加せしめ害虫たる成虫や孵化幼虫に、当該植物の葉液を吸汁させ害虫たる成虫や孵化幼虫の生育を抑制せしめながら死滅させる光利用の害虫防除の方法。
【請求項４】
請求項１記載の青色光の波長が最大ピーク４４３ｎｍで４３０ｎｍ〜４６０ｎｍであることを特徴した請求項１記載の光利用の害虫防除の方法。
【請求項５】
請求項２記載の緑色光の波長が最大ピーク５１８ｎｍで４８０ｎｍ〜５６０ｎｍであることを特徴した請求項２記載の光利用の害虫防除の方法。
【請求項６】
青色光と緑色光の光を一平面状より当該植物の葉体に夜間に照射し、請求項４、請求項５記載の光利用の害虫防除の方法。
【請求項７】
当該植物の葉体に夜間に照射する光の光量子量は２μｍｏｌ／ｍ２／ｓ以上で８μｍｏｌ／ｍ２／ｓ以下であることを特徴とする請求項１、請求項２、請求項３、請求項４、請求項５、請求項６記載の光利用の害虫防除の方法。
【請求項８】
緑色光の緑色ＬＥＤと黄色光の黄色ＬＥＤが配置、設置されているＬＥＤであり、緑色光の緑色ＬＥＤに対して黄色光の黄色ＬＥＤの配置、設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項９】
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は少であり、配列にては、当該緑色ＬＥＤに対して当該赤色ＬＥＤは、少なる配置割合を保持しつつ数回繰り返し置き並べられて設置されている照明装置により、当該ＬＥＤの緑光線と赤色光線の複合光線を有する当該ＬＥＤの複合光線を一平面状より当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１０】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線の複合光線を有する当該ＬＥＤと青色光の青色ＬＥＤとを一平面状に置き並べ当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１１】
緑色光の緑色ＬＥＤと赤色光の赤色ＬＥＤが配置、設置されているＬＥＤであり、緑色光の緑色ＬＥＤに対して赤色光の赤色ＬＥＤの配置割合は少であり、配列にては、当該緑色ＬＥＤに対して当該赤色ＬＥＤは、少なる配置割合を保持しつつ数回繰り返し置き並べられて設置されている照明装置により、当該ＬＥＤの緑光線と赤色光線との複合光線を有する当該ＬＥＤと青色光の青色ＬＥＤとを当該植物に一平面状に置き並べ夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１２】
青色光の青色ＬＥＤと黄色光の黄色ＬＥＤが配置、設置されているＬＥＤであり、青色光の青色ＬＥＤに対して黄色光の黄色ＬＥＤの配置、設置割合は少であり、配列にては、当該青色ＬＥＤに対して当該黄色ＬＥＤは、少なる配置割合を保持しつつ数回繰り返し置き並べられて設置されている照明装置により、当該ＬＥＤの青光線と黄色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１３】
青色光の青色ＬＥＤと赤色光の赤色ＬＥＤが配置、設置されているＬＥＤであり、青色光の青色ＬＥＤに対して赤色光の赤色ＬＥＤの配置、設置割合は少であり、配列にては、当該青色ＬＥＤに対して当該赤色ＬＥＤは、少なる配置割合を保持しつつ数回繰り返し置き並べられて設置されている照明装置により、当該ＬＥＤの青光線と赤色光線の複合光線を有する当該ＬＥＤの複合光線を一平面状より当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１４】
青色光の青色ＬＥＤと黄色光の黄色ＬＥＤが配置、設置されているＬＥＤであり、青色光の青色ＬＥＤに対して黄色光の黄色ＬＥＤの設置割合は少であり、配列にては、当該青色ＬＥＤに対して当該黄色ＬＥＤは、少なる配置割合を保持しつつ数回繰り返し置き並べられて設置されている照明装置により、当該ＬＥＤの青光線と黄色光線の複合光線を有する当該ＬＥＤと青色光の青色ＬＥＤとを一平面状に置き並べ当該植物に夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１５】
青色光の青色ＬＥＤと赤色光の赤色ＬＥＤが配置、設置されているＬＥＤであり、青色光の青色ＬＥＤに対して赤色光の赤色ＬＥＤの配置割合は少であり、配列にては、当該青色ＬＥＤに対して当該赤色ＬＥＤは、少なる配置割合を保持しつつ数回繰り返し置き並べられて設置されている照明装置により、当該ＬＥＤの青光線と赤色光線との複合光線を有する当該ＬＥＤと青色光の青色ＬＥＤとを当該植物に一平面状に置き並べ夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１６】
青色光の青色ＬＥＤと緑色光の緑色ＬＥＤが配置、設置されているＬＥＤであり、青色光の青色ＬＥＤに対して緑色光の緑色ＬＥＤの配置、設置割合は少であり、配列にては、当該青色ＬＥＤに対して当該緑色ＬＥＤは、少なる配置割合を保持しつつ数回繰り返し置き並べられて設置されている照明装置により、当該ＬＥＤの青光線と緑色光線の複合光線を有する当該ＬＥＤの複合光線を当該植物に一平面状より夜間照射し、フェノール含有量を増加せしめ害虫たる成虫や孵化幼虫に、当該植物の葉液を吸汁させ害虫たる成虫や孵化幼虫の成育を抑制せしめながら死滅させる光利用のフェノール含有量増加の方法。
【請求項１７】
植物に夜間に照射する光の光量子量は２μｍｏｌ／ｍ２／ｓ以上で８μｍｏｌ／ｍ２／ｓ以下であることを特徴とする請求項８、請求項９、請求項１０、請求項１１請求項１２、請求項１３、請求項１４、請求項１５，請求項１６記載の光利用の装置にてのフェノール含有量増加の方法。
【請求項１８】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線との複合光線を有する当該ＬＥＤの複合光線を当該植物に一平面状より夜間照射し、植物育成制御のための当該植物に光利用のケルダール窒素の含有量を増加の方法。
【請求項１９】
緑色光の緑色ＬＥＤと赤色光の赤色ＬＥＤが配置、設置されているＬＥＤであり、緑色光の緑色ＬＥＤに対して赤色光の赤色ＬＥＤの設置割合は少であり、配列にては、当該緑色ＬＥＤに対して当該赤色ＬＥＤは、少なる配置割合を保持しつつ数回繰り返し置き並べられて設置されている照明装置により、当該ＬＥＤの緑光線と赤色光線との複合光線を有する当該ＬＥＤの複合光線を当該植物に一平面状より夜間照射し、植物育成制御のための当該植物に光利用のケルダール窒素の含有量を増加の方法。
【請求項２０】
緑色光の緑色ＬＥＤと黄色光の黄色ＬＥＤが配置、設置されているＬＥＤであり、緑色光の緑色ＬＥＤに対して黄色光の黄色ＬＥＤの設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と黄色光線との複合光線を有する当該ＬＥＤと青色光の青色ＬＥＤとを一平面状に置き並べ当該植物に夜間照射し、植物育成制御のための当該植物に光利用のケルダール窒素の含有量を増加の方法。
【請求項２１】
緑色光の緑色ＬＥＤと赤色光の赤色ＬＥＤが配置、設置されているＬＥＤであり、緑色光の緑色ＬＥＤに対して赤色光の赤色ＬＥＤの配置、設置割合は少であり、配列にては、当該緑色ＬＥＤに対して当該黄色ＬＥＤは、少なる配置割合を保持しつつ数回繰り返し置き並べられて設置されている照明装置により、当該ＬＥＤの緑光線と赤色光線との複合光線を有する当該ＬＥＤと青色光の青色ＬＥＤとを当該植物に一平面状に置き並べ夜間照射し、植物育成制御のための当該植物に光利用のケルダール窒素の含有量を増加の方法。
【請求項２２】
緑色光の緑色ＬＥＤと青色光の青色ＬＥＤが配置されているＬＥＤであり、緑色光の緑色ＬＥＤに対して青色光の青色ＬＥＤの設置割合は少であり、配列にては、当該緑色ＬＥＤに対して当該青色ＬＥＤは、少なる配置割合を保持しつつ数回繰り返し置き並べられて設置されている照明装置により、当該ＬＥＤの緑光線と青色光線との複合光線を有する当該ＬＥＤの複合光線を当該植物に一平面状より夜間照射し、植物育成制御のための当該植物に光利用のケルダール窒素の含有量を増加の方法。
【請求項２３】
緑色光の緑色ＬＥＤと青色光の青色ＬＥＤが配置、設置されているＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されている照明装置により、当該ＬＥＤの緑光線と青色光線との複合光線を有する当該ＬＥＤと青色光の青色ＬＥＤとを当該植物に一平面状に置き並べ夜間照射し、植物育成制御のための当該植物に光利用のケルダール窒素の含有量を増加の方法。
【請求項２４】
緑色光の緑色ＬＥＤと青色光の青色ＬＥＤが配置、設置されているＬＥＤであり、緑色光の緑色ＬＥＤに対して青色光の青色ＬＥＤの配置、設置割合は少であり、配列にては、当該緑色ＬＥＤに対して当該青色ＬＥＤは、少なる配置割合を保持しつつ数回繰り返し置き並べられて設置されている、当該ＬＥＤの緑光線と青色光線との複合光線を有する当該ＬＥＤと緑色光の緑色ＬＥＤとを当該植物に一平面状に置き並べ夜間照射し、植物育成制御のための当該植物に光利用のケルダール窒素の含有量を増加の方法。
【請求項２５】
植物に夜間に照射する光の光量子量は２μｍｏｌ／ｍ２／ｓ以上で８μｍｏｌ／ｍ２／ｓ以下であることを特徴とする請求項１７記載、請求項１８記載、請求項１９記載、請求項２０、請求項２１、請求項２２、請求項２３、請求項２４、記載の植物育成制御のための当該植物光利用の装置にてのケルダール窒素の含有量を増加の方法。